(57)【要約】【課題】複数の手摺部材をチュービング装置と一緒に輸送、保管することができ、且つ、取り扱いも容易な手摺保持器を備えたチュービング装置を提供する。【解決手段】チュービング装置１１は、チャックフレームの上に、ケーシング挿通孔の内径に対応した内径を有する開口部１９を備えた作業デッキ２０と、該作業デッキの外縁に沿って着脱可能に設けられた複数の手摺部材２２とを備え、ケーシング挿通孔に、作業デッキから取り外した複数の手摺部材を起立状態で収納する手摺保持器２７を着脱可能に設けた。【選択図】図３
2019085765.tif 000002
【特許請求の範囲】
【請求項１】
地上に据え付けられるベースフレームと、該ベースフレームの上方に昇降シリンダを介して昇降可能に設けられたドライブフレームと、該ドライブフレームの上方にチャックシリンダを介して昇降可能に設けられたチャックフレームと、前記ベースフレーム、ドライブフレーム及びチャックフレームの中央部を鉛直方向に貫通するケーシング挿通孔とを備え、前記チャックフレームの上に、前記ケーシング挿通孔の内径に対応した内径を有する開口部を備えた作業デッキと、該作業デッキの外縁に沿って着脱可能に設けられた複数の手摺部材とを備えたチュービング装置において、前記ケーシング挿通孔に、前記作業デッキから取り外した前記複数の手摺部材を起立状態で収納する手摺保持器を着脱可能に設けたことを特徴とするチュービング装置。
【請求項２】
前記手摺保持器は、前記複数の手摺部材を互いに平行に隣接させて収納する有底筒状の手摺収納部と、該手摺収納部の上端外周に設けられて前記ケーシング挿通孔の上部内径に対応した外径を有するリング状の踏み板とを備えていることを特徴とする請求項１記載のチュービング装置。
【請求項３】
前記踏み板の上面と、前記手摺収納部に収納された手摺部材の上面とが面一になることを特徴とする請求項２記載のチュービング装置。
【請求項４】
前記手摺収納部の底面に、前記複数の手摺部材の支柱部の下端部をそれぞれ挿入する複数の手摺下部保持部が設けられていることを特徴とする請求項２又は３記載のチュービング装置。
【請求項５】
前記手摺収納部の上部に、前記複数の手摺部材の上部を保持する手摺上部保持部材が設けられていることを特徴とする請求項２乃至４のいずれか１項記載のチュービング装置。
【請求項６】
前記複数の手摺部材は、幅寸法が異なる２種類以上の手摺部材を有し、幅寸法が最大の手摺部材は、前記手摺収納部の中央部に収納されることを特徴とする請求項２乃至５のいずれか１項記載のチュービング装置。
【請求項７】
前記手摺収納部の側面に複数の開口が設けられていることを特徴とする請求項２乃至６のいずれか１項記載のチュービング装置。
【請求項８】
前記手摺収納部の底面中央部に開口が設けられるとともに、該開口を覆う網状部材が設けられていることを特徴とする請求項２乃至７のいずれか１項記載のチュービング装置。
【請求項９】
前記踏み板に、手摺保持器吊り上げ用の吊り部が設けられていることを特徴とする請求項２乃至８のいずれか１項記載のチュービング装置。
【発明の詳細な説明】
【技術分野】
【０００１】
本発明は、チュービング装置に関し、詳しくは、建築、土木の基礎工事で地中へのケーシングの圧入や引き抜きを行うチュービング装置に関する。
【背景技術】
【０００２】
ケーシングチューブを回転させながら地中に圧入したり、引き抜いたりするチュービング装置では、ケーシングの挿入や着脱、コンクリートの注入などの作業をする際の転落事故を防止するため、チュービング装置本体の上面に設けた作業デッキの外縁に沿って手摺を設けることが行われている（例えば、特許文献１参照。）。一方、チュービング装置を輸送する際には、手摺やチュービング装置を作動させるために必要な各種油圧ホースを取り外すことから、これらの輸送性や保管性の向上が求められている。そこで、作業中以外は空洞状態となるケーシング挿通孔の上部に複数の油圧ホースを纏めて保持できるホース保持器が提案されている（例えば、特許文献２参照。）。
【先行技術文献】
【特許文献】
【０００３】
【特許文献１】特開２００１−３２９７７５号公報
【特許文献２】特開２０１２−２６１３５号公報
【発明の概要】
【発明が解決しようとする課題】
【０００４】
しかし、取り外した手摺は幅や高さ寸法が大きく、積み重ねると油圧ホースよりも嵩張り易いので、特許文献２に記載されるようなホース保持器を、手摺を収めるための収納部として流用する場合には、収納部をかなりの深さに形成しなければならず、この場合、積み重ねた手摺のうち下部に収納されている手摺を取り出す作業は容易でない上に、手摺を取り出した後の収納部に作業者が誤って転落するおそれがあるといった課題があった。
【０００５】
そこで本発明は、複数の手摺部材をチュービング装置と一緒に輸送、保管することができ、且つ、取り扱いも容易な手摺保持器を備えたチュービング装置を提供することを目的としている。
【課題を解決するための手段】
【０００６】
上記目的を達成するため、本発明のチュービング装置は、地上に据え付けられるベースフレームと、該ベースフレームの上方に昇降シリンダを介して昇降可能に設けられたドライブフレームと、該ドライブフレームの上方にチャックシリンダを介して昇降可能に設けられたチャックフレームと、前記ベースフレーム、ドライブフレーム及びチャックフレームの中央部を鉛直方向に貫通するケーシング挿通孔とを備え、前記チャックフレームの上に、前記ケーシング挿通孔の内径に対応した内径を有する開口部を備えた作業デッキと、該作業デッキの外縁に沿って着脱可能に設けられた複数の手摺部材とを備えたチュービング装置において、前記ケーシング挿通孔に、前記作業デッキから取り外した前記複数の手摺部材を起立状態で収納する手摺保持器を着脱可能に設けたことを特徴としている。
【０００７】
また、前記手摺保持器が、前記複数の手摺部材を互いに平行に隣接させて収納する有底筒状の手摺収納部と、該手摺収納部の上端外周に設けられて前記ケーシング挿通孔の上部内径に対応した外径を有するリング状の踏み板とを備えていることを特徴とし、前記踏み板の上面と、前記手摺収納部に収納された手摺部材の上面とが面一になることを特徴とし、前記手摺収納部の底面に、前記複数の手摺部材の支柱部の下端部をそれぞれ挿入する複数の手摺下部保持部が設けられていることを特徴としている。
【０００８】
さらに、前記手摺収納部の上部に、前記複数の手摺部材の上部を保持する手摺上部保持部材が設けられていることを特徴とし、前記複数の手摺部材は、幅寸法が異なる２種類以上の手摺部材を有し、幅寸法が最大の手摺部材は、前記手摺収納部の中央部に収納されることを特徴としている。
【０００９】
また、前記手摺収納部の側面に複数の開口が設けられていること、前記手摺収納部の底面中央部に開口が設けられるとともに、該開口を覆う網状部材が設けられていること、前記踏み板に、手摺保持器吊り上げ用の吊り部が設けられていることを特徴としている。
【発明の効果】
【００１０】
本発明のチュービング装置によれば、作業時以外は上下に貫通した筒状開口部となるケーシング挿通孔内に手摺保持器を装着し、該手摺保持器に複数の手摺部材を纏めて収納しておくので、作業デッキに手摺部材を上げ下ろしする負担が解消されるだけでなく、輸送時、保管時の手摺部材を収納するためのスペースも必要なくなり、輸送性、保管性を向上させることができる。
【図面の簡単な説明】
【００１１】
【図１】本発明の一形態例を示すチュービング装置の側面図である。
【図２】同じく平面図である。
【図３】同じく取り外した手摺部材を手摺保持器に収納した状態を示すチュービング装置の平面図である。
【図４】同じく手摺保持器の一部断面斜視図及び手摺部材の斜視図である。
【図５】同じく手摺保持器の平面図である。
【図６】図５のＶＩ−ＶＩ断面図である。
【図７】図５のＶＩＩ−ＶＩＩ断面図である。
【発明を実施するための形態】
【００１２】
図１乃至図７は、本発明のチュービング装置の一形態例を示している。本形態例に示すチュービング装置１１は、図１及び図２に示すように、地上に据え付けられるベースフレーム１２と、該ベースフレーム１２の上方に昇降シリンダ１３を介して昇降可能に設けられたドライブフレーム１４と、該ドライブフレーム１４の上方にチャックシリンダ１５を介して昇降可能に設けられたチャックフレーム１６とを備えており、前記ベースフレーム１２、ドライブフレーム１４及びチャックフレーム１６の中央部には、鉛直方向に貫通して同軸上に配置されたケーシング挿通孔１７が設けられている。
【００１３】
チャックフレーム１６の内周には、ケーシングチューブ（図示せず）を把持するための複数のチャック１８が周方向に等間隔で設けられている。また、チャックフレーム１６の上面には、ケーシング挿通孔１７の内径に対応した内径を有する開口部１９を備えた作業デッキ２０が設けられている。さらに、チャックフレーム１６の側面には、作業デッキ２０に昇降するための梯子２１が設けられている。また、開口部１９の周縁と作業デッキ２０の外縁とが接近している部分には、作業デッキ２０の外方に張り出す拡幅デッキ２０ａが着脱可能に設けられている。
【００１４】
作業デッキ２０及び拡幅デッキ２０ａの外縁部には、複数の手摺部材２２が着脱可能に設けられている。手摺部材２２は、安全基準に対応した形状を有しており、高さ寸法を共通にして幅寸法が異なる３種類の第１手摺部材２３、第２手摺部材２４及び第３手摺部材２５が用いられている。拡幅デッキ２０ａの中央部には幅寸法が最大の第１手摺部材２３が４本、拡幅デッキ２０ａの両側部には幅寸法が最小の第２手摺部材２４が４本、拡幅デッキ２０ａが設けられていない作業デッキ２０の両側部分には、第２手摺部材２４より僅かに幅広の第３手摺部材２５が４本、合計で１２本の手摺部材２２が設けられている。
【００１５】
第１手摺部材２３、第２手摺部材２４及び第３手摺部材２５は、基本的に同一の形状を有しており、水平方向の把持部２３ａ，２４ａ，２５ａと、各把持部２３ａ，２４ａ，２５ａの両端に設けられた左右一対の支柱部２３ｂ，２４ｂ，２５ｂと、各支柱部２３ｂ，２４ｂ，２５ｂの下部に設けられた鍔部２３ｃ，２４ｃ，２５ｃと、各支柱部２３ｂ，２４ｂ，２５ｂ間を連結する上下一対の横桟２３ｄ，２４ｄ，２５ｄとで形成され、幅広の第１手摺部材２３には、把持部２３ａの中央部と上下の横桟２３ｄ，２３ｄとを連結する補強用の縦桟２３ｅが設けられている。
【００１６】
一方、作業デッキ２０及び拡幅デッキ２０ａの外縁部には、各手摺部材２２の支柱部２３ｂ，２４ｂ，２５ｂに対応した位置に、筒状の手摺取付部材２０ｂがそれぞれ設けられており、各手摺取付部材２０ｂに対応した手摺部材２２の支柱部２３ｂ，２４ｂ，２５ｂの下部を手摺取付部材２０ｂの内部に挿入し、鍔部２３ｃ，２４ｃ，２５ｃが手摺取付部材２０ｂの上端に当接した状態で抜け止め部材２６を取り付けることにより、各手摺部材２２が所定の位置にそれぞれ固定される。
【００１７】
ケーシング挿通孔１７の開口上部には、チュービング装置１１を輸送する際に、作業デッキ２０及び拡幅デッキ２０ａから取り外した手摺部材２２を収納するための手摺保持器２７が着脱可能に設けられている。
【００１８】
手摺保持器２７は、図３乃至図７に示すように、前記１２本の手摺部材２２、すなわち、各４本の第１手摺部材２３、第２手摺部材２４及び第３手摺部材２５をそれぞれ起立させた状態で、互いに平行に、隣接させて横並びに収納可能な有底筒状の手摺収納部２７ａと、該手摺収納部２７ａの上端外周に、水平方向に張り出す状態で設けられ、前記ケーシング挿通孔１７の上部内径に対応した外径を有し、上面が作業デッキ２０の上面と略面一になるリング状の踏み板２７ｂと、手摺収納部２７ａの下端に設けられたリング状の接地板２７ｃとを備えている。
【００１９】
手摺収納部２７ａは、８枚の側板２７ｄを連結して平面視正八角形状に形成した筒部２７ｅと、該筒部２７ｅの下部内周に固着された底板２７ｆとで形成されており、底板２７ｆには、手摺下部保持部として、各手摺部材２２の支柱部２３ｂ，２４ｂ，２５ｂの下部を挿通可能な複数の挿通孔２７ｇがそれぞれ対応した位置に設けられている。各手摺部材２２は、鍔部２３ｃ，２４ｃ，２５ｃが当接するまで支柱部２３ｂ，２４ｂ，２５ｂの下部を挿通孔２７ｇに挿通することによって手摺収納部２７ａ内に収納された状態になる。
【００２０】
筒部２７ｅの深さ、すなわち、踏み板２７ｂの上面と底板２７ｆの上面との距離は、手摺収納部２７ａ内に収納した手摺部材２２の把持部２３ａ，２４ａ，２５ａの上面と踏み板２７ｂの上面とが略面一になるように設定され、踏み板２７ｂの上面から手摺部材２２の上部が突出しないようにしている。また、底板２７ｆと接地板２７ｃとの距離は、鍔部２３ｃ，２４ｃ，２５ｃから下方に突出した支柱部２３ｂ，２４ｂ，２５ｂの下部の長さより僅かに大きくしている。
【００２１】
複数の挿通孔２７ｇは、正八角形状の底板２７ｆにおける相対向する一組の対辺の内側に、すなわち、手摺収納部２７ａの中央部となる部分に、幅寸法が最大の第１手摺部材２３に対応した４組の挿通孔２７ｇが、その外側に隣接して第３手摺部材２５に対応した各２組の挿通孔２７ｇが、最も外側に幅寸法が最小の第２手摺部材２４に対応した各２組の挿通孔２７ｇが、それぞれ設けられている。
【００２２】
また、手摺収納部２７ａの上部開口には、手摺上部保持部材として、各組の挿通孔２７ｇ同士を結ぶ直線に平行な方向に、複数の仕切部材２７ｈが水平方向に掛け渡されている。隣接する仕切部材２７ｈ同士の間隔は、各手摺部材２２の鍔部２３ｃ，２４ｃ，２５ｃの外径より大きく設定され、仕切部材２７ｈ同士の間を通して各手摺部材２２を手摺収納部２７ａに出し入れできるようにしている。また、仕切部材２７ｈ同士の間に各支柱部２３ｂ，２４ｂ，２５ｂの上部を挟んで手摺部材２２が大きく揺れ動かないようにするとともに、把持部２３ａ，２４ａ，２５ａが仕切部材２７ｈより上に突出するように設定している。
【００２３】
踏み板２７ｂは、表面に滑り止め用の突起を設けた縞鋼板で形成され、この踏み板２７ｂは、側板２７ｄから放射状に突設された複数の立板２７ｉと、該複数の立板２７ｉの上部外端を囲繞したリング状の帯板２７ｊとにより支持され、足場としての剛性が高められている。また、立板２７ｉの外端は、ケーシング挿通孔１７の開口形状や、ケーシング挿通孔１７内に突出するチャック１８などの位置に対応するように、上部に比べて下部の突出量が小さくなる形状に形成され、帯板２７ｊの下端内周部分は段状に形成されている。
【００２４】
また、踏み板２７ｂには、前記立板２７ｉの上端に対応した位置に、手摺保持器吊り上げ用の吊り部２７ｋが周方向の複数箇所に設けられている。吊り部２７ｋは、立板２７ｉの上端に半円形の切欠き２７ｍを形成するとともに、この切欠き２７ｍに対応した位置の踏み板２７ｂに丸孔２７ｎを形成し、踏み板２７ｂの下面に、丸孔２７ｎを横切る方向の丸棒２７ｏを溶着して形成されている。これにより、踏み板２７ｂの上面から突出させない状態で吊り部２７ｋを形成することができる。
【００２５】
前記底板２７ｆの中央部には略矩形の開口２７ｐが設けられるとともに、該開口２７ｐを覆う網目状のエキスパンドメタル２７ｑが張設されており、手摺収納部２７ａ内に雨水などが溜まることを防止しながら、上部開口から落下した工具などが更に下方に落下することを防止している。さらに、各側板２７ｄには、複数の開口２７ｒが設けられており、底板２７ｆやエキスパンドメタル２７ｑの上に落下した工具や枯れ葉などを取り出せるようにしている。
【００２６】
このように形成された手摺保持器２７を備えたチュービング装置１１は、ケーシングチューブの圧入などの作業を行う際には、作業デッキ２０及び拡幅デッキ２０ａの外縁部に、対応した幅寸法の手摺部材２２をそれぞれ装着することにより、デッキからの転落事故を防止する。このとき、手摺保持器２７は、接地板２７ｃを接地させて地上に置かれた状態になっている。
【００２７】
そして、作業終了後にチュービング装置１１を輸送する際には、吊り部２７ｋを使用してクレーンなどで手摺保持器２７を吊り上げ、作業デッキ２０の上方に移動させてケーシング挿通孔１７の真上に位置合わせして手摺保持器２７を降下させる。これにより、手摺保持器２７が作業デッキ２０の開口部１９内に挿入され、帯板２７ｊの下端がチャックフレーム１６上面に設けた係合部（図示せず）に係合し、上下が開口したケーシング挿通孔１７の上部側の所定位置に手摺保持器２７が設置され、踏み板２７ｂによって開口部１９の周縁が閉塞されるとともに、手摺収納部２７ａ内に手摺部材２２を収納可能な状態になる。さらに、仕切部材２７ｈによって手摺収納部２７ａ内への転落も防止される。
【００２８】
このように、ケーシング挿通孔１７に着脱可能に装着した手摺保持器２７に複数の手摺部材２２を纏めて収納しておくことができるので、作業デッキ２０に手摺部材２２を上げ下ろしする負担が解消されるだけでなく、手摺部材２２を輸送するための荷台スペースも必要なくなり、輸送性、保管性を向上させることができる。また、手摺収納部２７ａを平面視で正八角形に形成し、対向する対辺間に幅寸法が最大の第１手摺部材２３を収納することにより、手摺保持器２７の小型化を図ることができ、ケーシング挿通孔１７の内周に装着されているチャック１８やチャックカラーなどの部材を取り外す必要もなくなる。
【００２９】
さらに、仕切部材２７ｈの間を通して底板２７ｆに設けた挿通孔２７ｇに支柱部２３ｂ，２４ｂ，２５ｂの下部を挿入するだけで手摺部材２２を起立状態で互いに平行に隣接させて収納することができるので、手摺部材２２の収納作業を容易に行うことができる。しかも、手摺収納部２７ａの上部に架け渡された複数の仕切部材２７ｈと挿通孔２７ｇとによって手摺部材２２を起立状態に安定して保持することができる。また、仕切部材２７ｈより上方に把持部２３ａ，２４ａ，２５ａを突出させることにより、手摺収納部２７ａからの手摺部材２２の取り出しを容易に行うことができる。
【００３０】
加えて、手摺部材２２の上部や吊り部２７ｋを作業デッキ２０の上面より突出しないように形成することにより、輸送時の全体の高さを制限高さ以下にすることができ、作業時につまずくこともなくなる。
【００３１】
なお、本発明は、前記形態例に限るものではなく、手摺部材の並びは任意であり、手摺部材の幅や高さ寸法などの条件に応じて手摺収納部や手摺部材を保持する部分の構造を適宜に形成することができる。さらに、輸送制限の範囲内であれば、把持部を踏み板から突出させた状態で手摺部材を収納することもでき、吊り部を突出させておくこともできる。
【符号の説明】
【００３２】
１１…チュービング装置、１２…ベースフレーム、１３…昇降シリンダ、１４…ドライブフレーム、１５…チャックシリンダ、１６…チャックフレーム、１７…ケーシング挿通孔、１８…チャック、１９…開口部、２０…作業デッキ、２０ａ…拡幅デッキ、２０ｂ…手摺取付部材、２１…梯子、２２…手摺部材、２３…第１手摺部材（幅広手摺部材）、２３ａ…把持部、２３ｂ…支柱部、２３ｃ…鍔部、２３ｄ…横桟、２３ｅ…縦桟、２４…第２手摺部材、２４ａ…把持部、２４ｂ…支柱部、２４ｃ…鍔部、２４ｄ…横桟、２５…第３手摺部材、２５ａ…把持部、２５ｂ…支柱部、２５ｃ…鍔部、２５ｄ…横桟、２６…抜け止め部材、２７…手摺保持器、２７ａ…手摺収納部、２７ｂ…踏み板、２７ｃ…接地板、２７ｄ…側板、２７ｅ…筒部、２７ｆ…底板、２７ｇ…挿通孔、２７ｈ…仕切部材、２７ｉ…立板、２７ｊ…帯板、２７ｋ…吊り部、２７ｍ…切欠き、２７ｎ…丸孔、２７ｏ…丸棒、２７ｐ…開口、２７ｑ…エキスパンドメタル、２７ｒ…開口
【図１】
2019085765.tif 000003
【図２】
2019085765.tif 000004
【図３】
2019085765.tif 000005
【図４】
2019085765.tif 000006
【図５】
2019085765.tif 000007
【図６】
2019085765.tif 000008
【図７】
2019085765.tif 000009